(57)【特許請求の範囲】
【請求項１】
複数枚の円盤状記録媒体が所定の配列形態で収納可能とされ、これら複数枚の円盤状記録媒体のうち１枚の円盤状記録媒体に対して選択的に情報信号の記録及び／又は再生を行う記録及び／又は再生部と、
少なくとも上記記録及び／又は再生部に収納された複数枚の円盤状記録媒体の番号やタイトル等の属性がリスト表示される表示部とを有する円盤状記録媒体用の記録及び／又は再生装置において、
上記表示部は、上記複数枚の円盤状記録媒体の属性がリスト表示されるキャラクタ表示領域に加えて、上記円盤状記録媒体の配列形態と上記記録及び／又は再生部への円盤状記録媒体の収納状態がグラフィック表示されるグラフィック表示領域を有し、
上記キャラクタ表示領域に表示される属性の表示形態は、上記グラフィック表示領域に表示される上記円盤状記録媒体の配列形態と上記記録及び／又は再生部への円盤状記録媒体の収納状態と対応した形態であることを特徴とする円盤状記録媒体用の記録及び／又は再生装置。
【請求項２】
上記記録及び／又は再生部に対して４枚の円盤状記録媒体が平面的に２行２列で配列される配列形態で収納可能とされ、
上記グラフィック表示領域には、上記円盤状記録媒体の平面的に２行２列で配列される配列形態と上記記録及び／又は再生部への円盤状記録媒体の収納状態がグラフィック表示され、
上記キャラクタ表示領域に表示される属性の表示形態は、上記グラフィック表示領域に表示される上記円盤状記録媒体の平面的に２行２列で配列される配列形態と上記記録及び／又は再生部への円盤状記録媒体の収納状態と対応した形態であることを特徴とする請求項１記載の円盤状記録媒体用の記録及び／又は再生装置。
【請求項３】
４枚の円盤状記録媒体が、平面的に２行２列で配列される配列形態で収納可能とされ、これら収納された複数枚の円盤状記録媒体のうち１枚の円盤状記録媒体に対して選択的に情報信号の記録及び／又は再生を行う円盤状記録媒体用の記録及び／又は再生部と、
少なくとも上記記録及び／又は再生部に収納された複数枚の円盤状記録媒体の番号やタイトル等の属性がリスト表示される表示部と、
上記記録及び／又は再生部で情報信号の記録及び／又は再生を行うための１枚の円盤状記録媒体を選択する操作部とを有する円盤状記録媒体用の記録及び／又は再生装置において、
上記表示部は、上記収納された複数枚の円盤状記録媒体の属性がリスト表示されるキャラクタ表示領域に加えて、上記円盤状記録媒体の平面的に２行２列で配列される配列形態と上記記録及び／又は再生部への円盤状記録媒体の収納状態がグラフィック表示されるグラフィック表示領域を有し、かつ上記キャラクタ表示領域に表示される属性の表示形態は、上記グラフィック表示領域に表示される上記円盤状記録媒体の平面的に２行２列で配列される配列形態と上記記録及び／又は再生部への円盤状記録媒体の装填状態と対応した形態であり、
上記操作部は、回転式スイッチにて構成され、この回転式スイッチの回転方向と、上記２行２列に配列された複数枚の円盤状記録媒体から１枚ずつ円盤状記録媒体を選択する方向とが同一であることを特徴とする円盤状記録媒体用の記録及び／又は再生装置。
【請求項４】
上記グラフィック表示領域は、上記情報信号の記録及び／又は再生の対象となっている円盤状記録媒体に対応した部分のグラフィック表示が、他の円盤状記録媒体と対応する部分のグラフィック表示と色別表示されることを特徴とする請求項１〜３のいずれか１記載の円盤状記録媒体用の記録及び／又は再生装置。
【請求項５】
上記キャラクタ表示領域は、上記情報信号の記録及び／又は再生の対象となっている円盤状記録媒体に対応した部分のキャラクタ表示が、他の円盤状記録媒体と対応する部分のキャラクタ表示に対して輝度反転表示されることを特徴とする請求項１〜４のいずれか１記載の円盤状記録媒体用の記録及び／又は再生装置。
【請求項６】
上記グラフィック表示領域は、上記円盤状記録媒体の配列形態と上記記録及び／又は再生部への円盤状記録媒体の装填状態のグラフィック表示が、それぞれ円盤状記録媒体の属性に対応する色別に表示されることを特徴とする請求項１〜５のいずれか１記載の円盤状記録媒体用の記録及び／又は再生装置。
【請求項７】
複数枚の円盤状記録媒体が所定の配列形態で収納可能とされ、これら複数枚の円盤状記録媒体のうち１枚の円盤状記録媒体に対して選択的に情報信号の記録及び／又は再生を行う記録及び／又は再生部と、
少なくとも上記記録及び／又は再生部に収納された複数枚の円盤状記録媒体のＴＯＣデータがリスト表示される表示部とを有する円盤状記録媒体用の記録及び／又は再生装置において、
上記表示部は、上記複数枚の円盤状記録媒体のＴＯＣデータがリスト表示されるキャラクタ表示領域に加えて、上記円盤状記録媒体の配列形態と上記記録及び／又は再生部への円盤状記録媒体の収納状態がグラフィック表示されるグラフィック表示領域を有し、
上記キャラクタ表示領域に表示されるＴＯＣデータの表示形態は、上記グラフィック表示領域に表示される上記円盤状記録媒体の配列形態と上記記録及び／又は再生部への円盤状記録媒体の収納状態と対応した形態であることを特徴とする円盤状記録媒体用の記録及び／又は再生装置。
【発明の詳細な説明】
【０００１】
【産業上の利用分野】
本発明は、複数枚の円盤状記録媒体、例えば光ディスクが所定の配列形態で収納され、これら複数枚の光ディスクのうち、１枚の光ディスクに対して選択的に情報信号の記録及び／又は再生を行う円盤状記録媒体用の記録及び／又は再生装置に関する。
【０００２】
【従来の技術】
車載用のオーディオセットにおいては、カセットデッキやチューナーに加えて、光ディスク用の再生装置等も登載されて多機能化が図られている。特に、光ディスク用の再生装置は、複数枚の光ディスクを装填することができるマガジンを有し、このマガジンに装填された複数枚の光ディスクを選択的に再生することを可能となすいわゆるチェンジャーが主流となってきている。
【０００３】
このチェンジャーのマガジンとしては、例えば図８に示すように、６枚の光ディスクＤを装填できるマガジン１０１を例にとった場合、６枚の光ディスクＤを、それぞれの板面を水平方向にした状態で、かつ縦方向に互いに間を空けて積み重ねた状態で装填できる形となっている。そして、このマガジン１０１に対しては、下から１枚目，２枚目・・・、そして、一番上が６枚目というように呼称している。
【０００４】
そして、上記チェンジャーの再生操作や光ディスク選択操作など各種操作を行う操作パネルには、テン・キーなどの各種操作キーが配列された操作部と、マガジン１０１に装填されている光ディスクＤの番号やタイトルがリスト表示される表示部が具備されている。表示部に表示されるリスト表示形態は、図９に示すように、上記マガジンの配列順とは逆に上から「１」，「２」・・・、そして、一番下が「６」というように表示され、それぞれその番号に対応する枚数目の光ディスクに関するタイトルが表示される形態となっている。
【０００５】
また、１０枚の光ディスクが装填可能なチェンジャーにおいては、表示部の表示領域の制約から、図１０に示すように、５行２列表示となっている。この場合、左の列が「１」〜「５」、右の列が「６」〜「１０」と番号表示され、それぞれその番号に対応する枚数目の光ディスクに関するタイトルが表示される形態となっている。
【０００６】
そして、最近では、どの光ディスクが再生中かが容易に確認できるように、その再生中の光ディスクに関する番号を色別表示するか、あるいはその番号とタイトルを輝度反転表示するようにしている。
【０００７】
【発明が解決しようとする課題】
しかしながら、従来のチェンジャーの表示部に表示されるリスト表示形態は、図８で示すマガジン１０１への光ディスクＤの配列順と、図９で示すリスト表示の順番が対応していない。従って、マガジン１０１内に装填されている例えばある１枚の光ディスクＤを別の光ディスクと交換する場合、マガジン１０１の配列順とリスト表示の順番とが異なっているため、いちいちリスト表示されている番号とマガジン１０１の配列順とを確認しながら交換しなければならず、非常に煩わしいという問題があった。
【０００８】
ところで、再生する光ディスクＤを選択する場合、通常、操作パネルにあるテン・キーを用いてダイレクトに選択操作することで行われる。しかし、自動車を運転するという状況下においては、操作パネルまで手をのばして操作することが困難な場合が少なくないため、例えば遠隔操作用のスイッチを使って光ディスクＤの選択操作を行うようにしている。
【０００９】
従来のこの種のスイッチは、レバー操作によってカーソル移動を行うジョイ・スティックタイプや、表面に「△」，「▽」のマークが印刷されたボタンを有する押しボタンタイプがほとんどである。
【００１０】
そして、これらのスイッチから出力される信号は、マガジン１０１に装填された多数枚の光ディスクＤから１枚の光ディスクを選択して、再生部へ送り込むディスク選択機構に供給されることから、１枚目の光ディスクＤから４枚目の光ディスクＤに選択する場合、レバーを上に押し上げるか、あるいは「△」マークが印刷されたボタンを操作するなど、ディスク選択操作を上方向に行うのに対し、表示部に表示されている選択操作方向を示すカーソル表示は、逆に下方向に移動するという、操作方向とは矛盾した動きになっている。そのため、光ディスクＤの選択操作が非常にわかりにくく、操作手順に慣れるまでに時間がかかり、また誤操作を引き起こし易いという問題があった。
【００１１】
本発明は、上記の課題に鑑みてなされたもので、その目的とするところは、複数枚の光ディスクを選択的に再生する装置、いわゆるチェンジャーに適用した場合において、マガジンへの光ディスクの配列順序がリスト表示から一目瞭然に知ることができ、更に、任意の光ディスクを一枚だけ交換しようとしたときにも、抜き取ろうとしている光ディスクが何であるか一目瞭然に知ることができ、使用者による選択操作等にとって非常に分かりやすい表示形態及びその表示形態の多機能化を図ることができる円盤状記録媒体用の記録及び／又は再生装置を提供することにある。
【００１２】
また、本発明は、４枚の光ディスクを選択的に再生する装置、いわゆるチェンジャーに適用した場合において、マガジンへの光ディスクの配列順序がリスト表示から一目瞭然に知ることができ、更に、任意の光ディスクを一枚だけ交換しようとしたときにも、抜き取ろうとしている光ディスクが何であるか一目瞭然に知ることができ、使用者による選択操作等にとって非常に分かりやすい表示形態及びその表示形態の多機能化を図ることができる円盤状記録媒体用の記録及び／又は再生装置を提供することにある。
【００１３】
また、他の発明は、４枚の光ディスクを選択的に再生する装置、いわゆるチェンジャーに適用した場合において、マガジンへの光ディスクの配列順序がリスト表示から一目瞭然に知ることができ、更に、任意の光ディスクを一枚だけ交換しようとしたときにも、抜き取ろうとしている光ディスクが何であるか一目瞭然に知ることができ、使用者による選択操作等にとって非常に分かりやすい表示形態及びその表示形態の多機能化を図ることができると共に、マガジンに装填されている複数枚の円盤状記録媒体から１枚の円盤状記録媒体を選択する際において、その選択操作の方向をリスト表示に沿った方向で行うことができ、操作性の向上を図ることができる円盤状記録媒体用の記録及び／又は再生装置を提供することにある。
【００１４】
【課題を解決するための手段】
本発明は、複数枚の円盤状記録媒体が所定の配列形態で収納可能とされ、これら複数枚の円盤状記録媒体のうち、１枚の円盤状記録媒体に対して選択的に情報信号の記録及び／又は再生を行う記録及び／又は再生部と、少なくとも上記記録及び／又は再生部に収納された複数枚の円盤状記録媒体の番号やタイトル等の属性、あるいはＴＯＣデータがリスト表示される表示部とを有する円盤状記録媒体用の記録及び／又は再生装置において、上記表示部に、上記複数枚の円盤状記録媒体の属性、あるいはＴＯＣデータがリスト表示されるキャラクタ表示領域に加えて、上記円盤状記録媒体の配列形態と上記記録及び／又は再生部への円盤状記録媒体の収納状態がグラフィック表示されるグラフィック表示領域を配し、上記キャラクタ表示領域に表示される属性、あるいはＴＯＣデータの表示形態は、上記グラフィック表示領域に表示される上記円盤状記録媒体の配列形態と上記記録及び／又は再生部への円盤状記録媒体の収納状態と対応した形態にして構成する。
【００１５】
この場合、上記記録及び／又は再生部に対して４枚の円盤状記録媒体が平面的に２行２列で配列される配列形態で収納可能とされるようにし、そして、上記グラフィック表示領域に、上記円盤状記録媒体の平面的に２行２列で配列される配列形態と上記記録及び／又は再生部への円盤状記録媒体の装填状態をグラフィック表示させ、更に上記キャラクタ表示領域に表示される属性の表示形態を、上記グラフィック表示領域に表示される上記円盤状記録媒体の平面的に２行２列で配列される配列形態と上記記録及び／又は再生部への円盤状記録媒体の収納状態と対応した形態にして構成してもよい。
【００１６】
また、他の発明は、４枚の円盤状記録媒体が、平面的に２行２列で配列される配列形態で収納可能とされ、収納された複数枚の円盤状記録媒体のうち、１枚の円盤状記録媒体に対して選択的に情報信号の記録及び／又は再生を行う円盤状記録媒体用の記録及び／又は再生部と、少なくとも上記記録及び／又は再生部に収納された複数枚の円盤状記録媒体の番号やタイトル等の属性がリスト表示される表示部と、上記記録及び／又は再生部で情報信号の記録及び／又は再生を行うための１枚の円盤状記録媒体を選択する操作部とを有する円盤状記録媒体用の記録及び／又は再生装置において、上記表示部に、上記複数枚の円盤状記録媒体の属性がリスト表示されるキャラクタ表示領域に加えて、上記円盤状記録媒体の平面的に２行２列で配列される配列形態と上記記録及び／又は再生部への円盤状記録媒体の収納状態がグラフィック表示されるグラフィック表示領域を配し、かつ上記キャラクタ表示領域に表示される属性の表示形態を、上記グラフィック表示領域に表示される上記円盤状記録媒体の平面的に２行２列で配列される配列形態と上記記録及び／又は再生部への円盤状記録媒体の収納状態と対応した形態とし、上記操作部を、回転式スイッチにて構成し、この回転式スイッチの回転方向と、上記２行２列に配列された複数枚の円盤状記録媒体から１枚ずつ円盤状記録媒体を選択する方向とを同一にして構成する。
【００１７】
なお、上記本発明及び他の発明に係る円盤状記録媒体用の記録及び／又は再生装置においては、上記グラフィック表示領域における上記情報信号の記録及び／又は再生の対象となっている円盤状記録媒体に対応した部分のグラフィック表示を、他の円盤状記録媒体と対応する部分のグラフィック表示と色別表示して構成するようにしてもよい。
【００１８】
また、上記キャラクタ表示領域における上記情報信号の記録及び／又は再生の対象となっている円盤状記録媒体に対応した部分のキャラクタ表示を、他の円盤状記録媒体と対応する部分のキャラクタ表示に対して輝度反転表示して構成するようにしてもよい。
【００１９】
また、上記グラフィック表示領域のグラフィック表示を、それぞれ円盤状記録媒体の属性に対応する色別に表示して構成するようにしてもよい。
【００２０】
【作用】
本発明に係る円盤状記録媒体用の記録及び／又は再生装置、特にその表示部においては、キャラクタ表示領域に、記録及び／又は再生部に収納された複数枚の円盤状記録媒体の番号やタイトル等の属性、あるいはＴＯＣデータがリスト表示され、グラフィック表示領域に、複数枚の円盤状記録媒体の配列状態と記録及び／又は再生部への円盤状記録媒体の収納状態がグラフィック表示されることになる。特に、キャラクタ表示領域に表示される属性、あるいはＴＯＣデータのリスト表示の形態が、上記グラフィック表示領域に表示される上記複数枚の円盤状記録媒体の配列形態と上記記録及び／又は再生部への円盤状記録媒体の収納状態と対応した形態となる。
【００２１】
従って、このグラフィック表示領域に表示されている円盤状記録媒体の配列状態及び円盤状記録媒体の収納状態のグラフィック表示を見ることにより、直感的に何枚の円盤状記録媒体がどの部分に収納されているかを知ることができ、また、キャラクタ表示領域に表示されている複数枚の円盤状記録媒体の属性に関するリスト表示を見ることにより、何枚の円盤状記録媒体がどの部分に収納されているか、また、どの属性を有する円盤状記録媒体がどの部分に収納されているかを直感的に知ることができる。
【００２２】
即ち、本発明に係る円盤状記録媒体用の記録及び／又は再生装置を複数枚の円盤状記録媒体を選択的に再生する装置、いわゆるチェンジャーに適用した場合において、記録及び／又は再生部への円盤状記録媒体の収納形態がリスト表示から一目瞭然に知ることができ、更に、任意の円盤状記録媒体を一枚だけ交換しようとしたときにも、抜き取ろうとしている円盤状記録媒体が何であるか一目瞭然に知ることができ、使用者による選択操作等にとって非常に分かりやすい表示形態となり、また、キャラクタ表示領域とグラフィック表示領域の組み合わせから表示部に表示されている形態の多機能化を図ることができる。
【００２２】
特に、情報信号の記録及び／又は再生の対象となっている円盤状記録媒体に対応した部分のグラフィック表示が、他の円盤状記録媒体と対応する部分のグラフィック表示と色別表示されることから、現在、どの円盤状記録媒体が記録及び／又は再生されているかを瞬時に確認することができる。また、情報信号の記録及び／又は再生の対象となっている円盤状記録媒体に対応した部分のキャラクタ表示が、他の円盤状記録媒体と対応する部分のキャラクタ表示に対して輝度反転表示されることから、現在、どの円盤状記録媒体が記録及び／又は再生されているかを瞬時に確認することができる。
【００２３】
これにより、本発明に係る円盤状記録媒体用の記録及び／又は再生装置を車載用の記録及び／又は再生装置、特にいわゆるチェンジャーに適用した場合、現在、何枚目の円盤状記録媒体が再生されているかを瞬時に確認することができ、車載用のチェンジャーに対する操作に煩わしさは生じなくなる。
また、本発明は、キャラクタ表示領域に、記録及び／又は再生部に収納された複数枚の円盤状記録媒体の番号やタイトル等の属性がリスト表示され、グラフィック表示領域に、複数枚の円盤状記録媒体が平面的に２行２列に配列される配列状態と記録及び／又は再生部への円盤状記録媒体の装填状態がグラフィック表示されることになる。特に、キャラクタ表示領域に表示される属性のリスト表示の形態が、上記グラフィック表示領域に表示される上記複数枚の円盤状記録媒体の配列形態と上記記録及び／又は再生部への円盤状記録媒体の装填状態と対応した形態となる。
【００２４】
従って、このグラフィック表示領域に表示されている円盤状記録媒体の配列状態及び円盤状記録媒体の収納状態のグラフィック表示を見ることにより、直感的に何枚の円盤状記録媒体が２行２列のどの部分に装填されているかを知ることができ、また、キャラクタ表示領域に表示されている複数枚の円盤状記録媒体の属性に関するリスト表示を見ることにより、何枚の円盤状記録媒体が２行２列のどの部分に収納されているか、また、どの属性を有する円盤状記録媒体が２行２列のどの部分に収納されているかを直感的に知ることができる。
【００２５】
特に、この場合も、情報信号の記録及び／又は再生の対象となっている円盤状記録媒体に対応した部分のグラフィック表示が、他の円盤状記録媒体と対応する部分のグラフィック表示と色別表示されることから、現在、どの円盤状記録媒体が記録及び／又は再生されているかを瞬時に確認することができる。また、情報信号の記録及び／又は再生の対象となっている円盤状記録媒体に対応した部分のキャラクタ表示が、他の円盤状記録媒体と対応する部分のキャラクタ表示に対して輝度反転表示されることから、現在、どの円盤状記録媒体が記録及び／又は再生されているかを瞬時に確認することができる。
【００２６】
また、他の発明に係る円盤状記録媒体用の記録及び／又は再生装置、特にその表示部においては、キャラクタ表示領域に、記録及び／又は再生部に収納された複数枚の円盤状記録媒体の番号やタイトル等の属性がリスト表示され、グラフィック表示領域に、複数枚の円盤状記録媒体が平面的に２行２列に配列される配列状態と記録及び／又は再生部への円盤状記録媒体の装填状態がグラフィック表示されることになる。特に、キャラクタ表示領域に表示される属性のリスト表示の形態が、上記グラフィック表示領域に表示される上記複数枚の円盤状記録媒体の配列形態と上記記録及び／又は再生部への円盤状記録媒体の収納状態と対応した形態となる。これにより、任意の円盤状記録媒体を一枚だけ交換しようとしたときに、抜き取ろうとしている円盤状記録媒体の属性を瞬時に知ることができる。
【００２７】
そして、更に、操作部である回転式スイッチを回転させて、２行２列に配列された複数枚の円盤状記録媒体から１枚ずつ円盤状記録媒体を選択する際、上記回転式スイッチの選択に伴う回転方向と、操作部にて、上記２行２列に配列された複数枚の円盤状記録媒体から１枚ずつ円盤状記録媒体を選択する方向とが同一になることから、実際に、どの属性を有する円盤状記録媒体が選択されたかが、瞬時に知ることができ、また、記録及び／又は再生部への円盤状記録媒体の交換作業をスムーズに行わせるこができる。
【００２８】
また、グラフィック表示領域に表示されているグラフィック表示に、記録及び／又は再生部に収納された円盤状記録媒体の属性をそれぞれ色別にして表示するようにすれば、どの属性を有する円盤状記録媒体がどの部分に収納されているかを瞬時に確認することができる。
【００２９】
【実施例】
以下、本発明に係る円盤状記録媒体用の記録及び／又は再生装置を車載用の音響装置に組み込まれる光ディスク再生装置に適用した例を挙げて説明する。
【００３２】
この車載用の音響装置は、それぞれ光ディスク（例えば再生専用型光ディスクや書き込み可能型光磁気ディスク等）が回転自在に収納された複数枚のディスクカートリッジが所定の配列形態で収納され、これら複数枚のディスクカートリッジのうち、１枚のディスクカートリッジにおける光ディスクに対して選択的に情報信号の再生を行い、この再生にかかる情報信号を４つのスピーカ（４チャンネルスピーカ）から音声出力する本実施例に係る光ディスク再生装置と、残響音の制御によって、狭い車室内に広い音響空間をつくり、しかも４チャンネルスピーカから出力される音量バランス及び音声出力の位相遅延の調整によって音像の定位の改善等を行う音場プロセッサを有して構成されている。
【００３０】
本発明に係る光ディスク再生装置は、図１に示すように、最大で４枚のディスクカートリッジ１がそれぞれ平面的に２行２列の配列形態で装填されるマガジン２が着脱口３を介して装着される再生装置本体４と、この再生装置本体４の前面にヒンジ（図示せず）によって上記着脱口３に対して開閉自在とされた操作パネル５を有する。
【００３１】
再生装置本体４は、図示しないが、その内部に回転テーブルが例えばシャーシに対して回転自在に取り付けられている。この回転テーブルは、その上面に１つのスピンドルモータと１つの光学ピックアップが取り付けられている。これらのスピンドルモータ及び光学ピックアップは、再生装置本体４への電源投入によって、回転テーブルが初期回転することにより、所定位置（ホーム位置）に停止される。そして、複数枚のディスクカートリッジ１が装填されたマガジン２を、着脱口３を通して再生装置本体４内に挿入すると、図１の拡大図上、２行１列目に装填されているディスクカートリッジ１に対応した位置（配列番号「１」で示す位置）、特に、ディスクカートリッジ１に取り付けられた開閉シャッタが開かれることによって、内部の光ディスクが一部露出した部分に対応した位置にそれぞれスピンドルモータと光学ピックアップが位置することになる。
【００３２】
上記スピンドルモータは、その上端に、選択されたディスクカートリッジ１の光ディスクが装着されるターンテーブルが固着されている。また、光学ピックアップは、その内部に、少なくとも光ディスクに記録されている情報信号を光学的に読み出すためのレーザビームを出射するレーザ光源と、このレーザ光源からのレーザビームを光ディスクの記録面に集光させる対物レンズと、光ディスクの記録面にて反射された反射光を電気信号（検出信号）に光電変換するフォトディテクタが組み込まれて構成されている。また、対物レンズは二軸クチュエータによってフォーカス調整及びトラッキング調整が行われる。
【００３３】
また、光学ピックアップは、リニアモータを主体とする既知のスライド機構によって、スピンドルモータのターンテーブルに装着された光ディスクの径方向に移動可能とされている。
【００３４】
この再生装置本体４の再生回路系を図２を参照しながら説明すると、この再生回路系は、この再生装置本体４内に挿入されたマガジン２に装填されているディスクカートリッジ１を例えば光学的に検出するカートリッジ検出回路１１と、回転テーブルを一方向に回転駆動する回転テーブル駆動回路１２と、回転テーブルの回転位置（回転角）を検出する回転位置検出回路１３とを有する。この回転テーブル駆動回路１２は、まず、電源投入に基づく後述する表示装置における制御部５７からの起動信号の入力に基づいて回転テーブルを回転駆動して、光学ピックアップ１４及びスピンドルモータ１５をホーム位置、即ち図１の拡大図上、２行１列目に装填されているディスクカートリッジ１に対応した位置に停止させる。
【００３５】
カートリッジ検出回路１１からの検出信号は、後述する制御部５７に供給される。この制御部５７は、供給された検出信号に基づいてフラグ情報を作成し、データ登録用メモリ５８に格納する。このカートリッジ検出回路１１からの検出信号は、上記回転テーブル駆動回路１２にも供給される。この回転テーブル駆動回路１２は、供給された検出信号を保持し、この保持した検出信号の内容に応じた回転テーブルの回転駆動制御を行う。即ち、ディスクカートリッジ１が装填されていない部分に、スピンドルモータ１５や光学ピックアップ１４が位置しないようにスキップさせながら回転テーブルを回転駆動する。
【００３６】
また、上記回転テーブル駆動回路１２は、制御部５７からの番号データに基づいて、回転テーブルを一方向に回転させて、光学ピックアップ１４及びスピンドルモータ１５をその番号データに対応するディスクカートリッジ１に対応した位置に停止させる。この場合、入力された番号データに基づいて、メモリ１６内の回転角データテーブルからその番号データに対応する回転角データを読み出し、回転位置検出回路１３からシリーズに送られてくる回転クロック信号を計数して、この計数値が上記読み出した回転角データと一致したとき、回転テーブルを停止させるなどの手法を採用することができる。
【００３７】
また、上記再生回路系は、上記で示した回路のほかに、スピンドルモータ１５をサーボ制御するスピンドルサーボ制御回路１７と、光学ピックアップ１４の上記二軸アクチュエータをサーボ制御して対物レンズのフォーカス調整及びトラッキング調整を行うフォーカス／トラッキングサーボ制御回路１８と、光学ピックアップ１４からの検出信号に基づいてスピンドルサーボ制御用のエラー信号、フォーカスサーボ制御用のエラー信号及びトラッキングサーボ制御用のエラー信号をそれぞれ生成するエラー信号生成回路１９と、光学ピックアップ１４からの検出信号をディジタル信号に変換し、更にエラー訂正用に付加された符号等を復号処理して再生データとして出力する復調系２０と、この復調系２０からの再生データをアナログ信号に変換した後、Ｒ−Ｌ分離してそれぞれＲ側の音声信号及びＬ側の音声信号として出力するＲ−Ｌ分離回路２１と、上記復調系２０からの再生データからＴＯＣデータを抽出するＴＯＣデータ抽出回路２２と、上記復調系２０からの再生データからトラックアドレスデータを抽出するアドレスデータ抽出回路２３とを有して構成されている。
【００３８】
上記ＴＯＣデータ抽出回路２２からのＴＯＣデータは、後述する制御部５７を通じてデータ登録用メモリ５８内に論理的に割り付けられたＴＯＣデータファイルに格納される。
【００３９】
また、上記回転テーブル駆動回路１２は、回転テーブルを一方向に回転させて、光学ピックアップ１４及びスピンドルモータ１５を、入力された番号データに対応するディスクカートリッジ１に対応した位置に停止させたとき、スピンドルモータ１５を上下方向に移動させる既知の上下移動機構に起動信号を出力する。上下移動機構は、回転テーブル駆動回路１２からの起動信号の入力に基づいて、スピンドルモータ１５を例えば上方向に移動させて、光ディスクをスピンドルモータ１５のターンテーブルに装着させる。
【００４０】
上記回転テーブル駆動回路１２からの起動信号は、スピンドルサーボ制御回路１７及び光学ピックアップ１４にも供給される。スピンドルサーボ制御回路１７は、回転テーブル駆動回路１２からの起動信号の入力とターンテーブルへの光ディスクの装着完了に基づいて、スピンドルモータ１５を駆動して、ターンテーブルに装着されている光ディスクを例えばＣＡＶ（回転角一定）方式にて回転させる。光学ピックアップ１４は、回転テーブル駆動回路１２からの起動信号の入力に基づいて起動され、レーザビームを回転する光ディスクの記録面に照射しながら光ディスクの径方向に移動することによって、光ディスクの記録面に記録されている情報信号を順次再生する。
【００４１】
一方、Ｒ−Ｌ分離回路２１から出力されるＲ側音声信号及びＬ側音声信号は、後述する音場プロセッサ４１に供給される。
【００４２】
操作パネル５は、図３に示すように、その前面中央に表示画面３１が配され、この表示画面３１を中心としてその下部の位置にテン・キー３２が横一列に配列されている。このテン・キー３２が配列されている部分の左側の位置には、音場プロセッサ起動用の選択ボタン３３が配されている。また、このテン・キー３２が配列されている部分の右側の位置には、マガジン２に装填されているディスクカートリッジ１の各光ディスクに関するタイトルを表示するためのファイルキー３４が配されている。
【００４３】
音場プロセッサ４１は、図５に示すように、車室内の４隅にそれぞれ設置されたスピーカＳＰ１  〜ＳＰ４  と接続された４チャンネルパワーアンプ４２と上記光ディスク再生装置本体４との間に挿入接続され、その内部に、少なくともホールなどの音場データに基づいて４チャンネルの初期反射音及び残響音を生成する初期反射音／残響音生成部４１ａと、スピーカの周波数特性及び伝送特性の補正を行うグラフィック・イコライザー４１ｂと、ダイナミックレンジの縮小によるＳＮ比の改善のためのコンプレッサ４１ｃと、上記操作パネル５によって選択されたシート番号に対応するシートポジションに対して、４チャンネルスピーカＳＰ１  〜ＳＰ４  から出力される音量バランス及び音声出力の位相遅延の調整によって音像の定位の改善を行う音像処理部４ｄが組み込まれて構成されている。
【００４４】
そして、上記操作パネル５に配された表示画面３１を含む表示部５１（図２参照）は、表示画面を介して表示するための表示データを生成する表示処理回路系５２を有して構成されている。
【００４５】
この表示部５１は、例えば１つの液晶ディスプレイから構成され、その表示画面３１が２つの表示領域３１ａ及び３１ｂに区分されている。１つの表示領域３１ａは、文字や数字等が表示されるキャラクタ表示領域であり、他の表示領域３１ｂは、図３に示すように、ディスクカートリッジ１の外形に模したシンボルマーク（以下、便宜的にカートリッジシンボルと記す）ＳＭが表示されるグラフィック表示領域である。このグラフィック表示領域３１ｂは、表示部５１の表示画面３１上、左側の部分、ちょうどテン・キー３２のキー「１」に対応する部分に配されている。この表示画面３１の背景色は例えば白に設定されてある。
【００４６】
カートリッジシンボルＳＭは、光ディスク再生装置に挿入されるマガジン２に装填されるディスクカートリッジ１の数に対応して４つ表示され、更にこれら４つのカートリッジシンボルＳＭは、マガジン２に装填されるディスクカートリッジ１の配列形態と対応させて２行２列の配列形態となっている。即ち、各カートリッジシンボルＳＭは、それぞれマガジン２に装填されたディスクカートリッジ１に対応したシンボル形態となっている。
【００４７】
また、このカートリッジシンボルＳＭは、図３に示すように、外形線図ａとディスクカートリッジ１の開閉シャッタに模した線図ｂ及び円形の線図ｃがそれぞれ組み合わされたシンボル形態となっている。上記円形の線図ｃ内には、マガジン２に装填されたディスクカートリッジ１の配列番号（図１参照）が表示された形となっている。
【００４８】
なお、ディスクカートリッジ１が装填されていない部分に対応するカートリッジシンボルＳＭは、外形線図ａだけの表示となっている。この例では、配列番号「２」に対応したカートリッジシンボルＳＭがその対象となっている。
【００４９】
また、上記グラフィック表示領域においては、後述する回転式スイッチ７１からの選択操作に従って移動する第１のカーソルｄ１  が表示されるようになっている。この第１のカーソルｄ１  は、選択操作された光ディスクに対応したカートリッジシンボルＳＭの、外形線図ａ内の領域中、円形線図ｃ内及び開閉シャッタに模した線図ｂ内を除く部分が、例えば青色に表示される（斜線で示す）ことでその位置が確認できるようになっている。
【００５０】
一方、キャラクタ表示領域３１ａにおいては、通常は、図３に示すように、再生の対象となっている光ディスクのタイトルと、この光ディスクが収納されているディスクカートリッジ１の配列番号、現在再生中のトラック番号及び演奏時間がキャラクタ表示されるようになっている。
【００５１】
また、ファイルキー３４を操作することにより、図４に示すように、ディスクカートリッジ１の配列番号と、そのディスクカートリッジ１に収納されている光ディスクのタイトルがキャラクタ表示されるようになっており、この実施例においては、上記グラフィック表示領域３１ｂにおけるカートリッジシンボルＳＭの表示形態と同様に、マガジン２に装填されるディスクカートリッジ１の配列形態と対応させて、上記配列番号とタイトルの組がそれぞれ２行２列で配列されたリスト表示の形態となっている。
【００５２】
即ち、このキャラクタ表示領域３１ａに表示されているリスト表示の形態は、その２行１列目に、図１で示すマガジンの２行１列目に装填されるディスクカートリッジ１の配列番号「１」とその光ディスクのタイトルが表示され、１行１列目に、マガジン２の１行１列目に装填されるディスクカートリッジ１の配列番号「２」とその光ディスクのタイトルが表示され、１行２列目に、マガジンの１行２列目に装填されるディスクカートリッジ１の配列番号「３」とその光ディスクのタイトルが表示され、２行２列目に、マガジン２の２行２列目に装填されるディスクカートリッジ１の配列番号「４」とその光ディスクのタイトルが表示された形となっている。
【００５３】
なお、ディスクカートリッジ１が装填されていないマガジン２の行／列に対応する部分は、配列番号のみが表示され、タイトルは表示されない。この例では、マガジン２の配列番号「２」に対応した行／列（１行１列目）にディスクカートリッジ１が装填されていないため、キャラクタ表示領域３１ａには、配列番号「２」に関して、その番号のみが表示され、そのタイトルは表示されない形態となっている。
【００５４】
また、このキャラクタ表示領域３１ａにおいては、後述する回転式スイッチ７１からの選択操作に従ってキャラクタ表示領域３１ａ上を移動する第２のカーソルｄ２  が表示されるようになっている。この第２のカーソルｄ２  は、上記グラフィック表示領域３１ｂに移動表示される第１のカーソルｄ１  と同じ色を有し、この第２のカーソルｄ２  が位置した部分のタイトルは、背景色が第２のカーソルｄ２  と同じ色で、タイトルの文字がいわゆる白抜きとされた輝度反転表示となる。
【００５５】
そして、回転式スイッチ７１は、図６に示すように、運転者が光ディスク再生装置を遠隔操作できるように、例えば自動車のステアリングハンドル７２の近傍部において、例えばワイパーレバー７３の奥にほぼ水平の姿勢でステアリングコラム７４に固定してあり、その操作つまみ７５が右回転（時計回り）及び左回転（反時計回り）するようになっている。操作つまみ７５を右回転すると、この回転式スイッチ７１からは＋信号が出力され、操作つまみ７５を左回転すると、この回転式スイッチ７１から−信号が出力されるようになっている。この回転式スイッチ７５からの＋信号及び−信号は、光ディスク再生装置の後述する制御部５７に供給されるようになっている。
【００５６】
次に、表示部５１における表示処理回路系５２は、図２に示すように、実際にキャラクタ表示領域３１ａに表示されるべきキャラクタデータを作成するキャラクタデータ処理回路５３と、実際にグラフィック表示領域３１ｂに表示されるべきグラフィックデータを作成するグラフィックデータ処理回路５５と、このグラフィックデータ処理回路５５からのグラフィックデータと、上記キャラクタデータ処理回路５３からのキャラクタデータとを合成して、上記グラフィックデータを表示画面３１のグラフィック表示領域３１ｂに表示し、上記キャラクタデータを表示画面３１のキャラクタ表示領域３１ａに表示させる表示処理回路５６と、操作パネル５上の各種キー操作に基づいて各種回路を制御する制御部５７を有して構成されている。
【００５７】
キャラクタデータ処理回路５３は、ファイルキー３４が操作されていない場合、再生対象となっているディスクカートリッジ１の配列番号、光ディスクのタイトル、現在再生中のトラック番号及び演奏時間に関するキャラクタデータを作成する。一方、ファイルキー３４が操作された場合は、マガジン２に装填されているディスクカートリッジ１の配列番号と光ディスクのタイトルを２行２列でリスト表示するためのリストデータを作成し、更にこのリストデータに、第２のカーソル表示に関するカラーデータとこの第２のカーソル表示に伴う輝度反転表示のためのデータを選択的に組み込んだキャラクタデータを作成する。
【００５８】
グラフィックデータ処理回路５５は、ＲＯＭ５４に登録されているカートリッジシンボルＳＭに関する固定データ（この場合、外形線図ａに関するデータ）を読み出して、この読み出した固定データからグラフィック表示領域３１ｂに所定の配列形態、即ち２行２列で表示させるための外形配置データを作成し、更にこの作成された外形配置データに、開閉シャッタに模した線図ｂに関するデータや配列番号データ及び第１のカーソル表示に関するカラーデータを選択的に組み込んだグラフィックデータを作成する。
【００５９】
次に、この音響装置の動作を、光ディスク再生装置と音場プロセッサの動作と共に説明する。
【００６０】
まず、この音響装置に電源が投入されると、この電源投入に基づいて制御部５７から起動信号が回転テーブル駆動回路１２に供給される。回転テーブル駆動回路１２は、制御部５７からの起動信号の入力に基づいて回転テーブルを回転駆動して、光学ピックアップ１４及びスピンドルモータ１５をホーム位置、即ち図１の拡大図上、２行１列目（配列番号１で示す）に装填されている光ディスクに対応した位置に停止させる。
【００６１】
次に、例えば配列番号「２」に対応する部分にディスクカートリッジ１を装填せずに残りの配列番号「１」、「３」及び「４」に対応した部分にそれぞれディスクカートリッジ１を装填したマガジン２を、着脱口３を通して再生装置本体４内に挿入すると、カートリッジ検出回路１１にてマガジン２に装填されたカートリッジ１の装填状態が光学的に検出され、この検出信号１１が制御部５７及び回転テーブル駆動回路１２に供給される。制御部５７は、カートリッジ検出回路１１からの検出信号をデータ登録用メモリ５８にフラグ情報として格納する。一方、回転テーブル駆動回路１２は、上記カートリッジ検出回路１１からの検出信号を回転スキップ用の情報として保持する。
【００６２】
次に、制御部５７は、データ登録用メモリ５８からフラグ情報を読み出して、グラフィックデータ処理回路５５に供給する。グラフィックデータ処理回路５５は、制御部５７からのフラグ情報に基づいて、グラフィックデータを作成する。この場合のグラフィックデータは、配列番号「２」に対応したカートリッジシンボルが外形線図ａだけの表示で、あとの配列番号「１」、「３」及び「４」に対応したカートリッジシンボルＳＭがそれぞれ外形線図ａと開閉シャッタを模した線図ｂと円形線図ｃが組み合わされた表示となるグラフィックデータである。
【００６３】
このグラフィックデータは、表示処理回路５６を介して表示画面３１のグラフィック表示領域３１ｂに表示される。
【００６４】
その後、回転テーブル駆動回路１２からの起動信号に基づいて、まず、配列番号「１」に対応する光ディスクのＴＯＣデータが再生され、制御部５７を介してデータ登録用メモリ５８のＴＯＣデータファイル中、配列番号「１」に対応するアドレスの領域に格納される。
【００６５】
次に、回転テーブル駆動回路１２は、回転テーブルを回転させることにより、スピンドルモータ１５及び光学ピックアップ１４を、配列番号「３」のディスクカートリッジ１に対応する位置に移動させ、同様に、この配列番号「３」に対応する光ディスクのＴＯＣデータを再生する。このＴＯＣデータは、フラグ情報に基づく制御部５７の制御によって、データ登録用メモリ５８のＴＯＣデータファイル中、配列番号「３」に対応するアドレスの領域に格納される。なお、配列番号「２」に関しては、ディスクカートリッジ１が装填されていないため、回転テーブル駆動回路１２にてスキップされる。
【００６６】
次に、回転テーブル駆動回路１２は、再び回転テーブルを回転させることにより、スピンドルモータ１５及び光学ピックアップ１４を、今度は、配列番号「４」のディスクカートリッジ１に対応する位置に移動させ、同様に、この配列番号「４」に対応する光ディスクのＴＯＣデータを再生する。このＴＯＣデータは、フラグ情報に基づく制御部５７の制御によって、データ登録用メモリ５８のＴＯＣデータファイル中、配列番号「４」に対応するアドレスの領域に格納される。
【００６７】
次に、再生操作について説明すると、例えば配列番号「１」に対応する光ディスクを再生するために、テン・キー３２中、番号「１」のキーを操作する。このキー入力データは制御部５７に供給される。制御部５７は、供給されたキー入力データを回転テーブル駆動回路１２に出力する。
【００６８】
回転テーブル駆動回路１２は、入力されたキー入力データに基づいて、回転テーブルを回転させて、スピンドルモータ１５と光学ピックアップ１４を、そのキー入力データが示す番号に対応した配列番号（この場合、配列番号「１」）のディスクカートリッジ１に対応した位置に移動させ、対象の光ディスクに対して情報信号の再生を行う。
【００６９】
制御部５７からのキー入力データは、表示装置の表示処理回路系５２におけるキャラクタデータ処理回路５３とグラフィックデータ処理回路５５にも供給される。キャラクタデータ処理回路５３は、供給されたキー入力データに基づいて、データ登録用メモリ５８の配列番号「１」に関するＴＯＣデータから光ディスクのタイトルデータと演奏時間データを読み出し、これらタイトルデータ及び演奏時間データと、光ディスク再生装置におけるアドレスデータ抽出回路２３から供給されるトラックアドレスデータを表示処理回路５６に供給する。一方、グラフィックデータ処理回路５５は、供給されたキー入力データに基づいて、上記作成したグラフィックデータに配列番号「１」に対応したカートリッジシンボルＳＭに第１のカーソルｄ１  をカラー表示するための組込みデータを付加して表示処理回路５６に供給する。
【００７０】
表示処理回路５６は、キャラクタデータ処理回路５３及びグラフィックデータ処理回路５５からそれぞれ供給されたキャラクタデータ及びグラフィックデータを合成して、キャラクタ表示領域３１ａにキャラクタデータを表示し、グラフィック表示領域３１ａにグラフィックデータを表示する。
【００７１】
これによって、キャラクタ表示領域３１ａに、ディスクのタイトル、配列番号、トラック番号及び演奏時間が表示され、グラフィック表示領域３１ｂに、配列番号「２」に対応したカートリッジシンボルＳＭが外形線図ａだけで、あとの配列番号「１」、「３」及び「４」に対応したカートリッジシンボルＳＭがそれぞれ外形線図ａと開閉シャッタを模した線図ｂと円形線図ｃが組み合わされたもの、更に配列番号「１」に対応したカートリッジシンボルＳＭに第１のカーソルｄ１  が位置された形態のものが表示される。
【００７２】
なお、キャラクタ表示領域３１ａに表示されているキャラクタデータ中、光ディスクのタイトル及び配列番号は、テン・キー３２による配列番号の入力操作によって変更され、トラック番号は、再生装置本体４での光ディスクの再生に伴うトラックアドレス更新が、アドレスデータ抽出部２３を介してキャラクタデータ処理部５３に入力されることによって更新され、演奏時間は、タイマー５９からキャラクタデータ処理部５３に順次入力されるクロック信号の秒単位の計数更新に伴って更新される。
【００７３】
また、グラフィック表示領域３１ｂに表示されているグラフィックデータ中、再生対象となっているカートリッジシンボルＳＭへの第１のカーソル表示は、テン・キー３２による配列番号の入力操作又は後述する回転式スイッチによる選択操作によって変更される。
【００７４】
次に、例えば上記配列番号「１」に対応する光ディスクが再生されている状態において、操作パネル５上の選択ボタン３３を押すと、音響装置が音場制御のモードに移る。この選択ボタン３３を操作することによって発生したオン信号は、制御部５７に供給される。制御部５７は、このオン信号の供給に基づいて、データ登録用メモリ５８内の状態フラグ情報を検索し、現在、音場コントロールモード中であることを示すビットが立っていない場合、そのビットを立て、表示装置におけるグラフィックデータ処理回路５５と音場プロセッサ４１に、音場コントロール指示信号を出力する。音場プロセッサ４１は、制御部５７からの音場コントロール指示信号の入力に基づいてデータ入力を許可する。
【００７５】
上記グラフィック表示領域３１ｂに表示されているカートリッジシンボルＳＭは、車室内に設置されている座席の配列に似たかたちとなっており、ここで、例えば音像を運転席に合わせたいときは、運転席に対応した配列位置にあるカートリッジシンボルＳＭの配列番号である「３」をテン・キー３２を用いて入力することにより行われる。
【００７６】
即ち、テン・キー３２によるキー入力データは、キー入力状態となっている音場プロセッサ４１の音像処理部４１ｄに供給される。この音像処理部４１ｄには、メモリが組み込まれており、このメモリには、配列番号と実際のシートポジションとの対応表がデータテーブルとして登録されている。そして、この音像処理部４１ｄは、テン・キー３２を通じて入力されたキー入力データが示す配列番号と上記データテーブルの配列番号とを照合して実際のシートポジションを割り出し、この割り出したシートポジションに対して音像の定位の改善を行う。
【００７７】
その後、再び選択ボタン３３を操作すると、選択ボタン３３の操作に伴うオン信号が再び制御部５７に供給される。制御部５７は、データ登録用メモリ５８内の上記状態フラグ情報のビット状態を検索する。このとき、最初の選択ボタン３３の操作によって、音場コントロールモード中であることを示すビットが立てられているため、制御部５７は、このビットを反転処理し、表示装置におけるグラフィックデータ処理回路５５と音場プロセッサ４１に、音場コントロール解除信号を出力する。音場プロセッサ４１は、制御部５７からの音場コントロール解除信号の入力に基づいてデータ入力を禁止する。
【００７８】
次に、例えば上記配列番号「１」に対応する光ディスクが再生されている状態において、操作パネル５上のファイルキー３４を押すと、表示画面３１のキャラクタ表示領域３１ａに表示されていた現在再生中の光ディスクに関する配列番号やタイトル、並びにトラック番号及び演奏時間が消去され、代わりに図４（ａ）に示すように、マガジンに装填されている光ディスクの配列番号とタイトルがリスト表示される。
【００７９】
即ち、ファイルキー３４を操作することにより発生したオン信号は、制御部５７に供給される。制御部５７は、このオン信号の供給に基づいて、データ登録用メモリ５８内の状態フラグ情報を検索し、現在、リスト表示中であることを示すビットが立っていない場合、そのビットを立て、キャラクタデータ処理回路５３にリスト表示要求信号を出力する。このとき、再生中の光ディスクに関する配列番号データも同時に出力する。
【００８０】
キャラクタデータ処理回路５３は、制御部５７からのリスト表示要求信号の入力に基づいて、データ登録用メモリ５８のＴＯＣデータファイルから各光ディスクのタイトルデータを読み出す。このとき、ディスクカートリッジ１の装填状態を示すフラグ情報を参照し、ディスクカートリッジ１が装填されていない部分に対しては、そのタイトルデータをスペースデータとして読み出す。
【００８１】
そして、読み出したタイトルデータに基づいて、マガジン２に装填されているディスクカートリッジ１の配列番号と光ディスクのタイトルを２行２列でリスト表示するためのリストデータを作成し、更にこのリストデータに、第２のカーソル表示に関するカラーデータとこの第２のカーソル表示に伴う輝度反転表示のためのデータを、制御部５７から供給された配列番号データに基づいて選択的に組み込んで実際にキャラクタ表示領域３１ａに表示すべきキャラクタデータを作成する。この場合、再生中の光ディスクに関する配列番号が「１」であるから、上記リストデータに、配列番号「１」とそのタイトルが表示される位置を指示する座標データと第２のカーソル表示データを組み込んだキャラクタデータが作成される。
【００８２】
キャラクタデータ処理回路５３にて作成された上記キャラクタデータは、図２に示すように、表示処理回路５６を介して表示画面３１のキャラクタ表示領域３１ａに表示される。このとき、図４（ａ）に示すように、リスト表示の２行１列（配列番号「１」）に対応するタイトル表示の部分に第２のカーソルｄ２  が位置した表示形態となり、しかもそのタイトルが輝度反転表示となる。
【００８３】
このリスト表示の状態において、回転式スイッチ７１の操作つまみ７５を例えば右方向に回転させると、この回転式スイッチ７１から＋信号が発生し、制御部５７に供給される。制御部５７は、回転式スイッチ７１から＋信号が供給されると、現在再生中の光ディスクに関する配列番号データを＋１する。特に、現在再生中の光ディスクに関する配列番号が「４」である場合は、配列番号データを「１」にする。そして、カーソル更新信号とこの更新処理された配列番号データをキャラクタデータ処理回路５３とグラフィックデータ処理回路５５に出力する。
【００８４】
キャラクタデータ処理回路５３は、制御部５７からのカーソル更新信号と配列番号データに基づいて、既に表示されているリストデータに、配列番号データが示す番号のタイトルが表示される位置を指示する座標データと第２のカーソル表示データを組み込んだキャラクタデータを作成する。
【００８５】
一方、グラフィックデータ処理回路５５は、既に表示されている２行２列のカートリッジシンボルＳＭのデータに、配列番号データが示す番号に対応するカートリッジシンボルＳＭの位置を指示する座標データと第１のカーソル表示データを組み込んだグラフィックデータを作成する。
【００８６】
上記キャラクタデータ処理回路５３にて作成されたキャラクタデータ及び上記グラフィックデータ処理回路５５にて作成されたグラフィックデータは、表示処理回路５６を介して表示画面３１のキャラクタ表示領域３１ａ及びグラフィック表示領域３１ｂにそれぞれ表示される。このとき、キャラクタ表示領域３１ａに表示される第２のカーソルｄ２  は、図４（ｂ）に示すように、１行１列目の配列番号「２」に対応するタイトルの位置に表示され、かつタイトルが輝度反転表示されることになる。また、グラフィック表示領域３１ｂに表示される第１のカーソルｄ１  は、１行１列目の配列番号「２」に対応するカートリッジシンボルＳＭの位置に表示される。
【００８７】
更に、回転式スイッチ７１の操作つまみ７５を右方向に回転すると、上記と同様にして、今度は、図４（ｃ）に示すように、キャラクタ表示領域３１ａに表示される第２のカーソルｄ２  が１行２列目の配列番号「３」に対応するタイトルの位置に表示され、かつタイトルが輝度反転表示されることになる。また、グラフィック表示領域３１ｂに表示される第１のカーソルｄ１  は、１行２列目の配列番号「３」に対応するカートリッジシンボルＳＭの位置に表示される。
【００８８】
更に、回転式スイッチ７１の操作つまみ７５を右方向に回転すると、上記と同様にして、今度は、図４（ｄ）に示すように、キャラクタ表示領域３１ａに表示される第２のカーソルｄ２  が２行２列目の配列番号「４」に対応するタイトルの位置に表示され、かつタイトルが輝度反転表示されることになる。また、グラフィック表示領域３１ｂに表示される第１のカーソルｄ１  は、２行２列目の配列番号「４」に対応するカートリッジシンボルＳＭの位置に表示される。
【００８９】
そして、例えば第１のカーソルｄ１  及び第２のカーソルｄ２  がそれぞれ２行２列目の配列番号「４」に対応する位置に表示されている段階において、回転式スイッチ７１を操作せずにそのまま例えば２秒ほど放置すると、タイマー５９からのタイムオーバーによる割り込み信号が制御部７５に供給される。制御部７５は、タイマー５９からの割り込み信号の入力に基づいて、更新後の配列番号データを回転テーブル駆動回路１２に出力する。
【００９０】
回転テーブル駆動回路１２は、入力された配列番号データに基づいて、回転テーブルを回転させて、スピンドルモータ１５と光学ピックアップ１４を、その配列番号データが示す番号に対応した配列番号（この場合、配列番号「４」）のディスクカートリッジ１に対応した位置に移動させ、対象の光ディスクに対して情報信号の再生を行う。
【００９１】
上記配列番号「４」に対応する光ディスクが再生されている段階において、回転式スイッチ７１の操作つまみ７５を、今度は、左方向に回転させると、この回転式スイッチ７１から−信号が発生し、制御部５７に供給される。制御部５７は、回転式スイッチ７１から−信号が供給されると、現在再生中の光ディスクに関する配列番号データを−１する。特に、現在再生中の光ディスクに関する配列番号が「１」である場合は、配列番号データを「４」にする。そして、カーソル更新信号とこの更新処理された配列番号データをキャラクタデータ処理回路５３とグラフィックデータ処理回路５５に出力する。
【００９２】
キャラクタデータ処理回路５３は、制御部５７からのカーソル更新信号と配列番号データに基づいて、既に表示されているリストデータに、配列番号データが示す番号のタイトルが表示される位置を指示する座標データと第２のカーソル表示データを組み込んだキャラクタデータを作成する。
【００９３】
一方、グラフィックデータ処理回路５５は、既に表示されている２行２列のカートリッジシンボルＳＭのデータに、配列番号データが示す番号に対応するカートリッジシンボルＳＭの位置を指示する座標データと第１のカーソル表示データを組み込んだグラフィックデータを作成する。
【００９４】
上記キャラクタデータ処理回路５３にて作成されたキャラクタデータ及び上記グラフィックデータ処理回路５５にて作成されたグラフィックデータは、表示処理回路５６を介して表示画面３１のキャラクタ表示領域３１ａ及びグラフィック表示領域３１ｂにそれぞれ表示される。このとき、キャラクタ表示領域３１ａに表示される第２のカーソルｄ２  は、図４（ｃ）に示すように、１行２列目の配列番号「３」に対応するタイトルの位置に表示され、かつタイトルが輝度反転表示されることになる。また、グラフィック表示領域３１ｂに表示される第１のカーソルｄ１  は、１行２列目の配列番号「３」に対応するカートリッジシンボルＳＭの位置に表示される。
【００９５】
更に、回転式スイッチ７１の操作つまみ７５を左方向に回転すると、上記と同様にして、今度は、図４（ｂ）に示すように、キャラクタ表示領域３１ａに表示される第２のカーソルｄ２  が１行１列目の配列番号「２」に対応するタイトルの位置に表示され、かつタイトルが輝度反転表示されることになる。また、グラフィック表示領域３１ｂに表示される第１のカーソルｄ１  は、１行１列目の配列番号「２」に対応するカートリッジシンボルＳＭの位置に表示される。
【００９６】
更に、回転式スイッチ７１の操作つまみ７５を左方向に回転すると、上記と同様にして、今度は、図４（ａ）に示すように、キャラクタ表示領域３１ａに表示される第２のカーソルｄ２  が２行１列目の配列番号「１」に対応するタイトルの位置に表示され、かつタイトルが輝度反転表示されることになる。また、グラフィック表示領域３１ｂに表示される第１のカーソルｄ１  は、２行１列目の配列番号「１」に対応するカートリッジシンボルＳＭの位置に表示される。
【００９７】
このように、本実施例に係る光ディスク再生装置、特にその表示部５１においては、キャラクタ表示領域３１ａに、マガジン２に装填された複数枚のディスクカートリッジ１の配列番号やその光ディスクに関するタイトルがリスト表示され、グラフィック表示領域３１ｂに、マガジン２に装填された複数枚のディスクカートリッジ１が平面的に２行２列に配列される配列状態とマガジン２へのディスクカートリッジ１の装填状態がカートリッジシンボルＳＭとしてグラフィック表示されることになる。特に、キャラクタ表示領域３１ａに表示されるリスト表示の形態が、グラフィック表示領域３１ｂに表示されるディスクカートリッジ１の配列形態とマガジン２へのディスクカートリッジ１の装填状態と対応した形態となっているため、このグラフィック表示領域３１ｂに表示されているカートリッジシンボルＳＭのグラフィック表示を見ることにより、直感的に何枚のディスクカートリッジ１が２行２列のどの部分に装填されているかを知ることができ、また、キャラクタ表示領域３１ａに表示されている複数枚のディスクカートリッジ１に関するリスト表示を見ることにより、何枚のディスクカートリッジ１が２行２列のどの部分に装填されているか、また、どの属性を有する光ディスクが２行２列のどの部分に装填されているかを直感的に知ることができる。
【００９８】
しかも、この実施例に係る光ディスク再生装置においては、情報信号の再生の対象となっている光ディスクに対応した部分のカートリッジシンボルＳＭの位置に第１のカーソルｄ１  を表示させ、更にこの第１のカーソルｄ１  をカラー表示させるようにしているため、現在、どの光ディスクが再生中かを瞬時に確認することができる。また、キャラクタ表示領域３１ａに表示されているリスト表示のうち、情報信号の再生の対象となっている光ディスクに対応した部分のタイトル表示の位置に第２のカーソルｄ２  を表示させ、更にこの第２のカーソルｄ２  が表示されている部分のタイトルを輝度反転表示させるようにしたので、現在、どの光ディスクが再生中かを瞬時に確認することができる。
【００９９】
また、回転式スイッチ７１を回転させて、２行２列に配列された複数枚のディスクカートリッジ１から１枚ずつディスクカートリッジ１（光ディスク）を選択する際、上記回転式スイッチ７１の選択操作に伴う操作つまみ７５の回転方向に合わせて、キャラクタ表示領域３１ａ上を移動表示される第２のカーソルｄ２  とグラフィック表示領域３１ｂ上を移動表示される第１のカーソルｄ１  が移動するため、実際に、どの属性を有する光ディスクが選択されたかが、瞬時に知ることができ、また、マガジン２へのディスクカートリッジ１の交換作業をスムーズに行わせるこができる。
【０１００】
上記光ディスク再生装置においては、４枚のディスクカートリッジ１を平面的に２行２列で配列させた状態で装填することができるマガジン２に適用した例を示したが、その他、従来からある例えば６枚の光ディスクを、それぞれの板面を水平方向にした状態で、かつ縦方向に互いに間を空けて積み重ねた状態で装填できるマガジンに適用した光ディスク再生装置にも応用させることができる。
【０１０１】
この場合、その表示部における表示画面のみを示すと、図７に示すように、表示画面３１中、その左側にグラフィック表示領域３１ｂを割り当て、右側にキャラクタ表示領域３１ａを割り当てる。そして、グラフィック表示領域３１ｂに表示される光ディスクのシンボルマークＳＭとしては、横方向を長手とする短冊状のシンボルマークとし、このシンボルマークＳＭを６個、縦方向に並べて表示させる。各シンボルマークＳＭには、それぞれ配列番号が表示される。一方、キャラクタ表示領域３１ａに表示されるリスト表示としては、グラフィック表示領域３１ｂに表示されている６個のシンボルマークＳＭに対応させて、それぞれ配列番号と光ディスクのタイトルをキャラクタ表示させる。
【０１０２】
このとき、グラフィック表示領域３１ｂにおける各シンボルマークＳＭ内の配列番号の数字及びキャラクタ表示領域３１ａにおける配列番号の数字の順番は、マガジン２に配列される光ディスクの配列順に対応させて、下から「１」，「２」・・・、そして、一番上が「６」となるように表示させる。
【０１０３】
また、更に、グラフィック表示領域３１ｂに表示されるシンボルマークＳＭのカラー表示を、例えば対応する光ディスクに収録された音楽のジャンル（例えば、ジャズ、フュージョン、ロック、演歌など）に合わせて色別表示する。そして、現在再生中の光ディスクを示すためのカーソルｄを、キャラクタ表示領域３１ａにリスト表示されている再生対象となっている光ディスクの配列番号に対応するタイトルの位置に表示させ、更にそのタイトルを輝度反転表示させる。
【０１０４】
このようにすれば、グラフィック表示領域３１ｂに表示される表示形態とキャラクタ表示領域３１ａに表示される表示形態に別々の機能をもたせることができ、表示形態の多機能化を実現させることができる。
【０１０５】
【発明の効果】
上述のように、本発明に係る円盤状記録媒体用の記録及び／又は再生装置によれば、複数枚の円盤状記録媒体が所定の配列形態で収納可能とされ、これら複数枚の円盤状記録媒体のうち、１枚の円盤状記録媒体に対して選択的に情報信号の記録及び／又は再生を行う記録及び／又は再生部と、少なくとも上記記録及び／又は再生部に収納された複数枚の円盤状記録媒体の番号やタイトル等の属性、あるいはＴＯＣデータがリスト表示される表示部とを有する円盤状記録媒体用の記録及び／又は再生装置において、上記表示部に、上記複数枚の円盤状記録媒体の属性、あるいはＴＯＣデータがリスト表示されるキャラクタ表示領域に加えて、上記複数枚の円盤状記録媒体の配列形態と上記記録及び／又は再生部への円盤状記録媒体の収納状態がグラフィック表示されるグラフィック表示領域を配し、上記キャラクタ表示領域に表示される属性、あるいはＴＯＣデータの表示形態は、上記グラフィック表示領域に表示される上記複数枚の円盤状記録媒体の配列形態と上記記録及び／又は再生部への円盤状記録媒体の収納状態と対応した形態にしたので、複数枚の円盤状記録媒体を選択的に再生する装置、いわゆるチェンジャーに適用した場合において、マガジンへの円盤状記録媒体の配列順序がリスト表示から一目瞭然に知ることができ、更に、任意の円盤状記録媒体を一枚だけ交換しようとしたときにも、抜き取ろうとしている円盤状記録媒体が何であるか一目瞭然に知ることができ、使用者による選択操作等にとって非常に分かりやすい表示形態及びその表示形態の多機能化を図ることができる。
【０１０６】
また、他の発明に係る円盤状記録媒体用の記録及び／又は再生装置によれば、４枚の円盤状記録媒体が、平面的に２行２列で配列される配列形態で収納可能とされ、収納された複数枚の円盤状記録媒体のうち、１枚の円盤状記録媒体に対して選択的に情報信号の記録及び／又は再生を行う円盤状記録媒体用の記録及び／又は再生部と、少なくとも上記記録及び／又は再生部に収納された４枚の円盤状記録媒体の番号やタイトル等の属性がリスト表示される表示部と、上記記録及び／又は再生部で情報信号の記録及び／又は再生を行うための１枚の円盤状記録媒体を選択する操作部とを有する円盤状記録媒体用の記録及び／又は再生装置において、上記表示部に、上記複数枚の円盤状記録媒体の属性がリスト表示されるキャラクタ表示領域に加えて、上記円盤状記録媒体の平面的に２行２列で配列される配列形態と上記記録及び／又は再生部への円盤状記録媒体の収納状態がグラフィック表示されるグラフィック表示領域を配し、かつ上記キャラクタ表示領域に表示される属性の表示形態を、上記グラフィック表示領域に表示される上記円盤状記録媒体の平面的に２行２列で配列される配列形態と上記記録及び／又は再生部への円盤状記録媒体の収納状態と対応した形態とし、上記操作部を、回転式スイッチにて構成し、この回転式スイッチの回転方向と、上記２行２列に配列された複数枚の円盤状記録媒体から１枚ずつ円盤状記録媒体を選択する方向とを同一にしたので、４枚の円盤状記録媒体を選択的に再生する装置に適用した場合において、記録及び／又は再生部への円盤状記録媒体の収納配列順序がリスト表示から一目瞭然に知ることができ、更に、任意の円盤状記録媒体を一枚だけ交換しようとしたときにも、抜き取ろうとしている円盤状記録媒体が何であるか一目瞭然に知ることができ、使用者による選択操作等にとって非常に分かりやすい表示形態及びその表示形態の多機能化を図ることができると共に、記録及び／又は再生部に収納されている複数枚の円盤状記録媒体から１枚の円盤状記録媒体を選択する際において、その選択操作の方向をリスト表示に沿った方向で行うことができ、操作性の向上を図ることができる。
【図面の簡単な説明】
【図１】本発明に係る円盤状記録媒体用の記録及び／又は再生装置を車載用の音響装置に組み込まれる光ディスク再生装置に適用した例を示す斜視図及びマガジンへのディスクカートリッジの配列状態を示す拡大図である。
【図２】本発明に係る光ディスク再生装置の再生回路系と表示処理回路系を示すブロック図である。
【図３】本発明に係る光ディスク再生装置の操作パネルを示す正面図である。
【図４】本発明に係る光ディスク再生装置の表示画面に表示されるリスト表示形態を示す動作説明図である。
【図５】音場プロセッサの構成を示すブロック図である。
【図６】回転式スイッチとその固定位置を示す斜視図である。
【図７】６枚の光ディスクを選択的に再生することができる光ディスク再生装置の画面表示の一形態を示す正面図である。
【図８】一般的な６枚チェンジャー用のマガジンの構成を示す斜視図である。
【図９】表示画面に対する従来の表示形態の一例を示す正面図である。
【図１０】表示画面に対する従来の表示形態の他の例を示す正面図である。
【符号の説明】
１  ディスクカートリッジ、  ２  マガジン、  ４  光ディスク再生装置本体、  ５  操作パネル、  ３１  表示画面、  ３１ａ  キャラクタ表示領域、  ３１ｂ  グラフィック表示領域、  ＳＭ  カートリッジシンボル、  ａ  外形線図、  ｂ  開閉シャッタに模した線図、  ｃ  円形線図、  ｄ１    第１のカーソル、  ｄ２    第２のカーソル、  ３２  テン・キー、  ３３  選択ボタン、  ３４ファイルキー、  ５１  表示部、  ５２  表示処理回路系、  ５３  キャラクタデータ処理回路、  ５４  ＲＯＭ、  ５５  グラフィックデータ処理回路、  ５６  表示処理回路、  ５７  制御部、  ５８  データ登録用メモリ
【図１】
0003590975.tif 000002
【図２】
0003590975.tif 000003
【図３】
0003590975.tif 000004
【図４】
0003590975.tif 000005
【図５】
0003590975.tif 000006
【図６】
0003590975.tif 000007
【図７】
0003590975.tif 000008
【図８】
0003590975.tif 000009
【図９】
0003590975.tif 000010
【図１０】
0003590975.tif 000011